(57)【要約】      （修正有）【課題】底板に撓みを生じても脱輪が発生するのを防止することができるキャビネット用引出しを提供する。【解決手段】キャビネットの側板に固定された左右一対のキャビネット側レールに対し、引出し本体１に設けられた左右一対の引出し側レール４を摺動自在に取り付け、引出し本体１をキャビネットの前後方向にスライド自在としたキャビネット用引出しであって、左右一対のキャビネット側レールのいずれか一方のみに脱輪防止用のカエリ片を設け、また、前記引出し本体１の底板２にはキャビネット内部に配置された障害物との干渉を避けるための切り欠き部３を形成するとともに、底板２の一部に底板のたわみ防止用のスリット６を形成した。【選択図】図２
2014184042.tif 000002
【特許請求の範囲】
【請求項１】
キャビネットの側板に固定された左右一対のキャビネット側レールに対し、引出し本体に設けられた左右一対の引出し側レールを摺動自在に取り付け、引出し本体をキャビネットの前後方向にスライド自在としたキャビネット用引出しであって、前記左右一対のキャビネット側レールのいずれか一方のみに脱輪防止用のカエリ片を設け、また、前記引出し本体の底板にはキャビネット内部に配置された障害物との干渉を避けるための切り欠き部を形成するとともに、底板の一部に底板のたわみ防止用のスリットを形成したことを特徴とするキャビネット用引出し。
【請求項２】
たわみ防止用のスリットは、引出し本体の奥側から手前側に向けて引出し側レールと平行に形成してある請求項１に記載のキャビネット用引出し。
【請求項３】
たわみ防止用のスリットは、脱輪防止用のカエリ片が設けられていない側の引出し側レールに近い部分に形成してある請求項１または２に記載のキャビネット用引出し。
【発明の詳細な説明】
【技術分野】
【０００１】
本発明は、底板に撓みを生じても脱輪が発生するのを防止することができるキャビネット用引出しに関するものである。
【背景技術】
【０００２】
従来から、キッチンや洗面等に用いられるキャビネット用引出しとして、キャビネットの側板に固定された左右一対のキャビネット側レールに対し、引出し本体に設けられた左右一対の引出し側レールを摺動自在に取り付け、引出し本体をキャビネットの前後方向にスライド自在としたものが知られている。
【０００３】
また、特許文献１に示されるように、前記引出し側レールがキャビネット側レールから脱輪するのを防止する目的で、脱輪防止用のカエリ片を設けることも公知である。このカエリ片は、間口の寸法公差を吸収するため、原則として片側のキャビネット側レールのみに設けられるのが普通である（例えば、特許文献２を参照）。
【０００４】
一方、図１に示すように、キャビネット２０ではボウル２１の下面に排水用の配管等の障害物２２が配置されている。このため、ボウル２１の下に位置するキャビネット用引出しでは、前記障害物２２との干渉を避けるために引出し本体１の底板２に切り欠き部３を形成することが必要となる（図２を参照）。
【０００５】
しかしながら、切り欠き部３を形成すると、底板自体の強度低下を避けることができず、底板上に物を載せた場合、図３の太線に示すように、底板２が下方に向けて撓み左右のレール間隔が狭くなってしまうという現象が生じた。この場合、前記のように寸法公差を吸収するために、左右のキャビネット側レールの片側のみにしか脱輪防止用のカエリ片が設けられていないので、脱輪防止用のカエリ片が設けられていない側に載っている引出し側レールが中央側へ引っ張られて、キャビネット側レールから脱輪してしまうという問題があった。
【先行技術文献】
【特許文献】
【０００６】
【特許文献１】特開２０１０−５２９５号公報
【特許文献２】実用新案登録第３０３９４９３号公報
【発明の概要】
【発明が解決しようとする課題】
【０００７】
本発明は上記のような問題点を解決して、脱輪防止用のカエリ片をキャビネット側レールの一方のみに設けた引出しであっても、物を載せて底板に撓みを生じた場合に引出し側レールがキャビネット側レールから脱輪するのを防ぐことができるキャビネット用引出しを提供することを目的として完成されたものである。
【課題を解決するための手段】
【０００８】
上記課題を解決するためになされた本発明のキャビネット用引出しは、キャビネットの側板に固定された左右一対のキャビネット側レールに対し、引出し本体に設けられた左右一対の引出し側レールを摺動自在に取り付け、引出し本体をキャビネットの前後方向にスライド自在としたキャビネット用引出しであって、前記左右一対のキャビネット側レールのいずれか一方のみに脱輪防止用のカエリ片を設け、また、前記引出し本体の底板にはキャビネット内部に配置された障害物との干渉を避けるための切り欠き部を形成するとともに、底板の一部に底板のたわみ防止用のスリットを形成したことを特徴とするものである。
【０００９】
前記たわみ防止用のスリットは、引出し本体の奥側から手前側に向けて引出し側レールと平行に形成してあるものが好ましく、これを請求項２に係る発明とする。
【００１０】
また、たわみ防止用のスリットは、脱輪防止用のカエリ片が設けられていない側の引出し側レールに近い部分に形成してあることが好ましく、これを請求項３に係る発明とする。
【発明の効果】
【００１１】
請求項１に係る発明では、キャビネットの側板に固定された左右一対のキャビネット側レールに対し、引出し本体に設けられた左右一対の引出し側レールを摺動自在に取り付け、引出し本体をキャビネットの前後方向にスライド自在としたキャビネット用引出しであって、前記左右一対のキャビネット側レールのいずれか一方のみに脱輪防止用のカエリ片を設け、また、前記引出し本体の底板にはキャビネット内部に配置された障害物との干渉を避けるための切り欠き部を形成するとともに、底板の一部に底板のたわみ防止用のスリットを形成したので、底板が下方に向けて撓んだとしても、スリットにより引出し側レールと縁が切れているために、引出し側レールが底板といっしょに中央側へ引っ張られることがなく、カエリ片がなくてもキャビネット側レールから脱輪することがなくなる。
【００１２】
また、請求項２に係る発明では、たわみ防止用のスリットは、引出し本体の奥側から手前側に向けて引出し側レールと平行に形成してあるので、底板と引出し側レールとを確実に縁切りすることができる。
【００１３】
また、請求項３に係る発明では、たわみ防止用のスリットは、脱輪防止用のカエリ片が設けられていない側の引出し側レールに近い部分に形成してあるので、脱輪のおそれがあるカエリ片が設けられていない側の引出し側レールを底板から確実に縁切りを行うことができる。
【図面の簡単な説明】
【００１４】
【図１】キャビネットを示す斜視図である。
【図２】本発明の実施の形態を示す平面図である。
【図３】本発明の引出しを後方側からみた図である。
【図４】カエリ片を設けてあるキャビネット側レールの要部を示す斜視図である。
【図５】カエリ片を設けていないキャビネット側レールの要部を示す斜視図である。
【図６】カエリ片を設けてある引出し側レールとキャビネット側レールの係止関係を示す説明図である。
【図７】カエリ片を設けていない引出し側レールとキャビネット側レールの係止関係を示す説明図である。
【図８】引出し側レールとキャビネット側レールの係合状態を示す斜視図である。
【発明を実施するための形態】
【００１５】
以下に、図面を参照しつつ本発明の好ましい実施の形態を示す。
図１はキャビネットを示す斜視図であり、図２はこのキャビネットに設けられた引出しの平面図である。図において、２０はキャビネット、２１は上部にあるボウル、２２は排水用の配管等の障害物であり、ボウル２１の下部には小物等を収納するためのキャビネット用の引出しが取り付けられている。
【００１６】
図において、１は引出し本体である。この引出し本体１は、キャビネット２０の側板２３の内側に固定されている左右一対のキャビネット側レール２４、２４（図１には図示されていないため、図６、図７を参照）に対し、引出し本体１に設けられた左右一対の引出し側レール４、４が摺動自在に取り付けてあり、キャビネット２０の前後方向にスライド自在な構造とされている。
なお、２は引出し本体１の底板であり、この底板２にはボウル２１の下面にある排水用の配管等の障害物２２との干渉を避けるように切り欠き部３が形成されている。
【００１７】
また、キャビネット側レール２４、２４のいずれか一方のみに脱輪防止用のカエリ片５が設けられている。
図４に示すように、一方のキャビネット側レール２４には、上部から垂下するカエリ片５が設けられており、このカエリ片５が、図６に示すように、引出し側レール４のローラ４ａが中央側へ移動しないようにストッパーの役目をしており、引出し側レール４が中央側へ引っ張られてもキャビネット側レール２４から脱輪しない構造となっている。
一方、他方のキャビネット側レール２４には、前記カエリ片５は設けられていない（図５、図７を参照）。従って、引出し側レール４のローラ４ａはキャビネット側レール２４に載っているだけの状態であるため脱輪する可能性がある。
【００１８】
なお、図８に引出し側レール４とキャビネット側レール２４の係合状態を示す。
それぞれのレールには引出し側ローラ４ａとキャビネット側ローラ２４ａが装着されており、引出し側レール４がキャビネット側レール２４上を円滑に摺動できる構造となっているが、この構造は従来のものと同様である。
【００１９】
図２に示すように、前記底板２の一部には底板のたわみ防止用のスリット６が形成されている。
このたわみ防止用のスリット６は、底板２が下方に向けて撓んだ場合に、底板２といっしょに引出し側レール４が中央側へ引っ張られることがないように、底板２と引出し側レール４との縁を切るためものである。この結果、物を載せて底板２が下方に向けて撓んだとしても、たわみ防止用のスリット６により縁切りされており、引出し側レール４が中央側へ引っ張られてキャビネット側レール２４から脱輪することがなくなる。
【００２０】
前記たわみ防止用のスリット６は、引出し本体１の奥側から手前側（表側）に向けて引出し側レールと平行に形成してある。スリット６の長さは、長すぎると底板２の保持強度が小さくなるので、引出し本体１の奥行き長さの半分以下であることが好ましい。また、前記切り欠き部３の形状を考慮して最適長さに設定することが好ましい。
【００２１】
なお、たわみ防止用のスリット６は、脱輪防止用のカエリ片５が設けられていない側の引出し側レールに近い部分に形成するのが好ましい。何故なら、脱輪現象はカエリ片５が設けられていない側の引出し側レールが中央側へ引っ張られることにより発生するからである。
【００２２】
以上のように構成されたキャビネット用引出しでは、引出し本体の底板にキャビネット内部に配置された障害物との干渉を避けるための切り欠き部を形成したので、ボウルの下部に収納用の引出しを形成することができ使い勝手を向上させることができる。また、キャビネット側レールのいずれか一方のみに脱輪防止用のカエリ片を設けたので、寸法公差を吸収することができる。しかも、底板の一部に底板のたわみ防止用のスリットを形成したので、前記カエリ片が一方のレールのみにしかないにもかかわらず、レールの脱輪を確実に防止することができることとなる。
【符号の説明】
【００２３】
１  引出し本体
２  底板
３  切り欠き部
４  引出し側レール
４ａ  引出し側レールのローラ
５  カエリ片
６  スリット
２０  キャビネット
２１  ボウル
２２  障害物
２３  側板
２４  キャビネット側レール
24ａ  キャビネット側レールのローラ
【図１】
2014184042.tif 000003
【図２】
2014184042.tif 000004
【図３】
2014184042.tif 000005
【図４】
2014184042.tif 000006
【図５】
2014184042.tif 000007
【図６】
2014184042.tif 000008
【図７】
2014184042.tif 000009
【図８】
2014184042.tif 000010